(57)【特許請求の範囲】
【請求項１】
下端側に設けられた回転軸部を中心として前後方向へ回動可能とされ、入賞口を開閉する開閉扉と、
往復動可能な駆動源と、
前記駆動源の動きに連動して直線的に往復動可能な往復動体と、
前記往復動体の往復動に応じて固定位置を中心として揺動する回動アームと、
前記開閉扉の裏面の左右いずれかの端部に突設され、前記回転軸部の後方でかつ下方に位置する第１受動部と、
前記回転軸部の後方でかつ前記第１受動部の上方に位置するよう前記開閉扉の裏面に突設された第２受動部と、
前記回動アームに設けられ、該回動アームの揺動動作に従って上下方向に揺動する駆動部と、
を備え、
前記駆動部は、該駆動部が下端位置に位置するとき、前記第１受動部の後面と面当り状態となって該第１受動部の後方への回動を阻止し、前記開閉扉の前方への回動を阻止して前記入賞口を閉じた状態に保ち、
また、該駆動部は、該駆動部が下端位置から上端位置へと移動するとき、前記第１受動部の後面との面当り状態を解除した後、前記第２受動部を押し上げて前記開閉扉を前方へ回動して前記入賞口を開き、
さらに、該駆動部は、該駆動部が上端位置から下端位置へと移動するとき、前記第１受動部を押し下げて前記開閉扉を後方へ回動して前記入賞口を閉じた後、該第１受動部の後面と面当り状態となって該第１受動部の後方への回動を阻止し、前記開閉扉の前方への回動を阻止して前記入賞口を閉じた状態に保ち、
また、前記入賞口を形成する入賞口形成枠部を備え、該入賞口形成枠部に、前面から細長状の操作棒が挿通可能な挿通孔が穿設されているとともに、前記回動アームは前面側に傾斜面を有しており、前記操作棒の先端を前記挿通孔に通して前記傾斜面に押し当てることによって前記回動アームが上方へ移動し、前記駆動部と前記第１受動部との面当り状態が解除され、前記開閉扉を第２の開放操作によって開放可能な、開放予備状態が保持可能とされることを特徴とする可変入賞装置の防犯機構。
【請求項２】
請求項１において、前記駆動源と前記往復動体との連結箇所は外部から操作できないよう覆われていることを特徴とする可変入賞装置の防犯機構。
【発明の詳細な説明】
【０００１】
【発明の属する技術分野】
本発明は、可変入賞装置の防犯機構、詳しくは、パチンコ遊技機において可変入賞装置の開閉扉を外部操作によって無理やり開き、この開状態の入賞口に遊技球を入れて賞球（出玉）を不当に獲得する不正行為を防止するための可変入賞装置の防犯機構に関する。
【０００２】
【従来の技術】
従来から、パチンコ遊技機として、特定の入賞口に可変入賞装置を備えるタイプのものがある。
【０００３】
可変入賞装置は、通常、電気駆動装置（一般には電磁ソレノイド）が作動していないときには開閉扉を全閉状態に保って遊技球が入賞口に入らないようにし、また、電磁ソレノイドを作動させることによって開閉扉を開動作させて入賞口を開き、遊技球が入賞口に入り易くなるようにする。
【０００４】
【発明が解決しようとする課題】
しかし、図１１（Ａ）に示すように、電磁ソレノイド（図示せず）が作動していないときに、不正行為者が外部からピアノ線やセル板等の不正道具５０を遊技盤（図示せず）の盤面とガラス板（図示せず）との間に侵入させて開閉扉２に引っ掛け、図１１（Ｂ）に示すように、開閉扉２を無理やりに開けてこの入賞口７に遊技球６０を入れ、賞球を不当に獲得する不正行為が行われる場合があり、このような不正行為が行われるとホール側は多大な損害を蒙ることになる。
【０００５】
本発明は、このような不正行為の防止策として案出されたものであり、外部から可変入賞装置の開閉扉を開けようとしても開閉扉が開かず不正行為を防止することができる可変入賞装置の防犯機構を提供することを目的としている。なお、この種の防犯機構に関する従来からの提案として、例えば、実公平４−３１１１０号公報、特開平１０−２２５５５５号公報に記載のものがある。
【０００６】
【課題を解決するための手段】
本発明による可変入賞装置の防犯機構は、下端側に設けられた回転軸部を中心として前後方向へ回動可能とされ、入賞口を開閉する開閉扉と、往復動可能な駆動源と、前記駆動源の動きに連動して直線的に往復動可能な往復動体と、前記往復動体の往復動に応じて固定位置を中心として揺動する回動アームと、前記開閉扉の裏面の左右いずれかの端部に突設され、前記回転軸部の後方でかつ下方に位置する第１受動部と、前記回転軸部の後方でかつ前記第１受動部の上方に位置するよう前記開閉扉の裏面に突設された第２受動部と、前記回動アームに設けられ、該回動アームの揺動動作に従って上下方向に揺動する駆動部と、を備え、前記駆動部は、該駆動部が下端位置に位置するとき、前記第１受動部の後面と面当り状態となって該第１受動部の後方への回動を阻止し、前記開閉扉の前方への回動を阻止して前記入賞口を閉じた状態に保ち、また、該駆動部は、該駆動部が下端位置から上端位置へと移動するとき、前記第１受動部の後面との面当り状態を解除した後、前記第２受動部を押し上げて前記開閉扉を前方へ回動して前記入賞口を開き、さらに、該駆動部は、該駆動部が上端位置から下端位置へと移動するとき、前記第１受動部を押し下げて前記開閉扉を後方へ回動して前記入賞口を閉じた後、該第１受動部の後面と面当り状態となって該第１受動部の後方への回動を阻止し、前記開閉扉の前方への回動を阻止して前記入賞口を閉じた状態に保ち、また、前記入賞口を形成する入賞口形成枠部を備え、該入賞口形成枠部に、前面から細長状の操作棒が挿通可能な挿通孔が穿設されているとともに、前記回動アームは前面側に傾斜面を有しており、前記操作棒の先端を前記挿通孔に通して前記傾斜面に押し当てることによって前記回動アームが上方へ移動し、前記駆動部と前記第１受動部との面当り状態が解除され、前記開閉扉を第２の開放操作によって開放可能な、開放予備状態が保持可能とされることを特徴とする。
【０００７】
本発明による可変入賞装置の防犯機構において、全閉状態にある開閉扉に不正道具を用いて外部から開方向への力が作用したとき、駆動部は第１受動部の後面と面当り状態となって第１受動部の後方への回動を阻止しているため、開閉扉は前方へ回動することができず開かない。このため、不正行為を防止することができる。
【０００８】
また、前記入賞口を形成する入賞口形成枠部を備え、該入賞口形成枠部に、前面から細長状の操作棒が挿通可能な挿通孔が穿設されているとともに、前記回動アームは前面側に傾斜面を有しており、前記操作棒の先端を前記挿通孔に通して前記傾斜面に押し当てることによって前記回動アームが上方へ移動し、前記駆動部と前記第１受動部との面当り状態が解除され、前記開閉扉が開放可能になるため、大入賞口内での球詰まりやノーカウントエラー（大当り中に大入賞口が開いているにもかかわらず、遊技球が１つも入球しなかった場合）が発生したときの対応として通常行なわれるホールの店員の行為、即ち、遊技盤の前面のガラス板を開け、開閉扉を強制的に開けて球詰まりを解消したり、エラー状態から復帰させるために遊技球を大入賞口に入れて、その後の遊技を続行可能にする行為が可能になる。
【０００９】
また、前記駆動部と前記第１受動部との面当り状態が解除されたとき、前記開閉扉は第２の開放操作によって開放可能な、開放予備状態を保持可能とする構成をとると、単に操作棒を用いて駆動部と第１受動部との面当り状態を解除しただけでは開閉扉が開かず、開閉扉を開けるためには別の操作（前面から指などで開閉扉を開ける操作）が必要となることから、二重の防犯機能を発揮することができる。
【００１０】
さらに、前記駆動源と前記往復動体との連結箇所付近を外部から操作できないよう覆うようにすると、遊技盤の前面のみならず後面からの不正行為も防止することができる。
【００１１】
【発明の実施の形態】
以下、本発明の一実施形態を図面に基づいて説明する。
【００１２】
図１は、一実施形態に係る可変入賞装置の要部の分解斜視図、図２〜図４は、同装置の通常の一連の動作を説明するための主要部の斜視図であり、図２は、開閉扉の全閉時に対応する斜視図、図３は、開閉扉の開放開始時に対応する斜視図、図４は、開閉扉の全開時に対応する斜視図をそれぞれ示す。図５〜図７は、同じく同装置の通常の一連の動作を説明するための主要部の側面図であり、図５は、図２に対応する側面図、図６は、図３に対応する側面図、図７は、図４に対応する側面図をそれぞれ示す。図８〜図１０は、同装置のロック状態を強制的に解除する際の一連の動作を説明するための主要部の側面図であり、図８は、解除前に対応する側面図、図９は、解除途中に対応する側面図、図１０は、図９に対応する他の部位の側面図をそれぞれ示す。なお、以下の説明における上下方向、左右方向及び前後方向（表裏）の決め方は、パチンコ機を主体として決めている。
【００１３】
本実施形態に係る可変入賞装置は、前プレート１と開閉扉２と回動アーム３と後プレート４と駆動源５とスライドプレート（往復動体）６とを備える。
【００１４】
前プレート１は、長方形状の入賞口７（本実施形態では大入賞口である。）を形成する入賞口形成枠部８を有している。大入賞口７は、遊技盤（図示せず）の盤面と略面一になるよう配される。入賞口形成枠部８の左右下端部には、それぞれ、開閉扉２の回転軸部２ａ（図１１等参照）を収容する軸受部９が形成されており、開閉扉２は回転軸部２ａを中心として前後方向へ回動（傾動）可能とされ、前方への回動によって大入賞口７を開き、後方への回動によって大入賞口７を閉じる。また、前プレート１の裏面（後面）１ａには、回動アーム３の前後方向の円筒部１０の貫通孔１０ａに挿通され、回動アーム３の揺動中心となる揺動軸部１１が垂直に突設されている。さらに、前プレート１の裏面１ａには、回動アーム３の下端の全閉ストッパー部１２と当接可能なストッパー壁部１３が垂直に突設されており、このストッパー壁部１３に全閉ストッパー部１２が当接することによって回動アーム３の反時計方向への回動が規制される。さらに、前プレート１の入賞口形成枠部８の近傍には、操作棒２９が通過可能な挿通孔３０が形成されている。その他、前プレート１の裏面１ａには、前プレート１へ後プレート４を取り付ける際に、取付ねじ（図示省略）がねじ込まれる取付孔を有する取付脚部１４が複数箇所に垂直に突設されている。
【００１５】
開閉扉２の裏面（後面）２ｂには、右側の回転軸部２ａの近傍に第１受動部１５及び第２受動部１６が突設されている。第１受動部１５は、第２受動部１６の下方に位置している。また、開閉扉２の表面（前面）２ｃには、入賞口形成枠部８と当接可能な全開ストッパー部１７が突設されており、開閉扉２が前方へ回動して開くとき、全開ストッパー部１７が入賞口形成枠部８と当接することによって開閉扉２の全開開度が設定される。
【００１６】
回動アーム３は、基部に円筒部１０を有しており、円筒部１０の貫通孔１０ａに前プレート１の揺動軸部１１が挿通される。回動アーム３は、前プレート１と平行な鉛直面上を揺動軸部１１を中心として揺動し得る。また、回動アーム３は、先端部に、第１受動部１５及び第２受動部１６と係合する駆動部１８を有する。さらに、回動アーム３には、後方に向かってボス１９が突設されている。さらに、回動アーム３の先端部の前面下端には、ロック強制解除用の傾斜面２０が前方斜め上に向かって形成されている。
【００１７】
後プレート４には、ボス１９の後方に位置する部位に窓２１が形成されている。また、後プレート４には、後プレート４を前プレート１に取り付ける際に、取付ねじ（図示省略）のねじ部が通る取付孔４ｃが穿設されている。さらに、後プレート４の後面４ａには、電磁ソレノイド２２が収容、固定されるブラケット２３を後プレート４に取り付ける際、取付ねじ（図示省略）がねじ込まれる取付孔（図示省略）が穿設されている。また、後プレート４の後面４ａには、コ字状のリブ３４が突設されており、後面４ａとリブ３４とブラケット２３とによって電磁ソレノイド２２のプランジャー２４が覆われている。また、後プレート４の前面４ｂは、回動アーム３の円筒部１０の後端面１０ｂよりも僅かに後方に位置するよう配され、回動アーム３の後方への移動を規制する。
【００１８】
駆動源５は、電磁ソレノイド２２とプランジャー２４とリターンばね２５とを備える。電磁ソレノイド２２は、ブラケット２３に収容されねじ止めされ、ブラケット２３は、後プレート４の後面４ａに固定される。プランジャー２４は、鉛直方向に沿って配されており、電磁ソレノイド２２が励磁されると、その磁気吸引力によってリターンばね２５の付勢力に抗して電磁ソレノイド２２の内部に進入し、一方、電磁ソレノイド２２が消磁されると、リターンばね２５の付勢力によって電磁ソレノイド２２の外部に突出する動作を行う。換言すると、プランジャー２４は、電磁ソレノイド２２の励磁時は上方へ移動し、消磁時は下方へ移動する。
【００１９】
スライドプレート６は、後プレート４の後面４ａ上を摺動可能な平板状の基部２６を有する。基部２６の後面には、駆動源側連結部２７が垂直に立設されている。駆動源側連結部２７は、プランジャー２４の先端フランジ部２４ａを収容する係止凹部２７ａを有している。基部２６の前面２６ａには、回動アーム側連結部２８が垂直に立設されている。回動アーム側連結部２８は、窓２１を通って回動アーム３側に突出している。回動アーム側連結部２８は、回動アーム３のボス１９の先端を上下方向から挟み込むコ字状片により構成されている。
【００２０】
次に、上記のように構成された可変入賞装置の作動を、通常時、不正行為時及びロック強制解除時に大別して説明する。
【００２１】
(I)   通常時
▲１▼  電磁ソレノイド２２が消磁状態にあるとき
電磁ソレノイド２２が励磁されていないときには、可変入賞装置は、図２、図５及び図８にそれぞれ示すような状態となっている。
【００２２】
すなわち、プランジャー２４のフランジ部２４ａは、プランジャー２４が電磁ソレノイド２２の磁気吸引力を受けていないため、リターンばね２５の付勢力のみを受け、下端位置に位置しており、ボス１９は、スライドプレート６を介して下方へ付勢されている。回動アーム３の全閉ストッパー部１２は、ボス１９に作用している付勢力及び回動アーム３の自重により、ストッパー壁部１３に上方から当接している。このため、駆動部１８は下端位置に位置し、その略鉛直な前面（駆動側ロック面）１８ａは、第１受動部１５の後面１５ａ（開閉扉２の全閉時、鉛直面となる。受動側ロック面ともいう。）と面当り状態となっており、開閉扉２は全閉状態となっている。
【００２３】
▲２▼  電磁ソレノイド２２が励磁されたとき
開閉扉２が上記のような全閉状態の下で電磁ソレノイド２２が励磁されると、プランジャー２４は電磁ソレノイド２２から磁気吸引力を受けるようになり、フランジ部２４ａはリターンばね２５の付勢力に抗して下端位置から上昇を開始する。このフランジ部２４ａの上昇開始により、スライドプレート６は、後プレート４の後面４ａ上を摺動しながら上昇開始し、回動アーム側連結部２８がボス１９を上方へ持ち上げることにより、回動アーム３は揺動軸部１１を中心として裏面より見て時計方向へ回動開始する。
【００２４】
この回動アーム３の回動開始に伴い駆動部１８が上昇開始し、駆動部１８の前面１８ａと第１受動部１５の後面１５ａとの面当り状態が解除され、その後、駆動部１８が第２受動部１６の下面１６ａと当接するようになる（図３及び図６参照）。そして、駆動部１８が第２受動部１６を持ち上げてゆくことによって、開閉扉２は前方へ回動し開いてゆく。そして、開閉扉２の全開ストッパー部１７が入賞口形成枠部８と当接すると、開閉扉２はそれ以上開くことができなくなり全開状態となる（図４及び図７参照）。この全開状態は、電磁ソレノイド２２が消磁されるまで継続される。なお、この全開状態のとき、フランジ部２４ａは上端位置に位置する。
【００２５】
▲３▼  電磁ソレノイド２２が励磁状態から消磁されたとき
開閉扉２が全開状態（図４及び図７）の下で、電磁ソレノイド２２を消磁すると、それまでプランジャー２４に作用していた磁気吸引力が消失する。このため、フランジ部２４ａはリターンばね２５の付勢力により上端位置から下降を開始する。このフランジ部２４ａの下降開始により、スライドプレート６は、後プレート４の後面４ａ上を摺動しながら下降開始し、回動アーム側連結部２８がボス１９を下方へ押し下げることにより、回動アーム３は揺動軸部１１を中心として裏面より見て反時計方向へ回動開始する。
【００２６】
この回動アーム３の回動開始に伴い駆動部１８は下降を開始し、第２受動部１６の下面から離れ、第１受動部１５の上面１５ｂを押し下げてゆくことによって、開閉扉２は後方へ回動し閉じてゆく。そして、回動アーム３の全閉ストッパー部１２がストッパー壁部１３に上方から当接したとき、駆動部１８の前面１８ａは第１受動部１５の後面１５ａと面当り状態となり、開閉扉２は全閉状態となる（図２及び図５参照）。
【００２７】
(II)  不正行為時
▲１▼  不正行為前
可変入賞装置は、上述したような電磁ソレノイド２２が消磁状態にあるときの状態と同じ状態となっている。
【００２８】
▲２▼  不正行為時
電磁ソレノイド２２が消磁状態にあるにもかかわらず、不正行為者がピアノ線、セル板等の不正道具５０を開閉扉２の上端と入賞口形成枠部８との隙間に侵入させ開閉扉２を前方へ回動させる力を加えたとする。このような操作が行われると、第１受動部１５は後方へ回動しようとし、後方の駆動部１８に後方への押圧力が加わる。しかし、回動アーム３の円筒部１０が後プレート４の前面４ｂに押圧されることよって回動アーム３の後方への移動が規制されているため、駆動部１８は後方へ移動することができず、第１受動部１５は駆動部１８との面当り状態を解除することができない。このため、開閉扉２に開方向への力が外部から加えられても、第１受動部１５は後方へ回動することができず、開閉扉２は開かない。
【００２９】
(III)   ロック強制解除時
▲１▼  ロック強制解除前
可変入賞装置は、上記の如き電磁ソレノイド２２が消磁状態にあるときの状態と同じ状態である。
【００３０】
▲２▼  ロック強制解除時
全閉状態にある可変入賞装置に対し、図８に示すように、前プレート１の表面（前面）１ｂから操作棒２９の先端部を挿通孔３０に通し傾斜面２０に押し当てると、回動アーム３は、その自重及びリターンばね２５の付勢力に抗して裏面より見て時計方向に回動し、図９に示すように、傾斜面２０が上方へ移動する。これにより、駆動部１８は、僅かな距離ではあるが上方へ移動し、駆動部１８と第１受動部１５との面当り状態が解除され、開閉扉２は前方へ回動可能な状態となる（図１０参照）。なお、挿通孔３０の裏面側に、図８等に示すように、操作棒２９を傾斜面２０に案内するような筒状のリブ３３（先端が傾斜面２０に沿ってカットされたような形状のものが望ましい。）を設けると、該操作棒２９が前プレート１に対して垂直に挿入されるので、操作棒２９の不正操作により駆動部１８を必要以上に上方に移動させて、開閉扉２を全開状態にさせる行為を防止することができるのでなお良い。また、この面当り状態の解除時、開閉扉２は、開放予備状態に保持される。したがって、開閉扉２を開けるためには、前面から指などを使って開閉扉２を前方へ回動させる別の操作（第２の開放操作）が必要であり、このような操作をすることによって始めて開閉扉２を開けることができる。
【００３１】
以上説明したように、本実施形態による可変入賞装置の防犯機構は、入賞口７を開閉する開閉扉２と、往復動可能な駆動源５と、駆動源５の動きに連動して直線的に往復動可能なスライドプレート（往復動体）６と、往復動体６の往復動に応じて固定位置を中心として揺動する回動アーム３と、開閉扉２の裏面２ｂの左右いずれかの端部に突設された第１受動部１５と、第１受動部１５の上方に位置するよう開閉扉２の裏面２ｂに突設された第２受動部１６と、回動アーム３に設けられ、回動アーム３の揺動動作に従ってほぼ上下方向に揺動する駆動部１８とを備え、駆動部１８は、駆動部１８が下端位置に位置するとき、第１受動部１５の後面１５ａと面当り状態となって第１受動部１５の後方への回動を阻止し、また、駆動部１８は、駆動部１８が下端位置から上端位置へと移動するとき、第１受動部１５の後面１５ａとの面当り状態を解除した後、第２受動部１６を押し上げて開閉扉２を開き、さらに、駆動部１８は、駆動部１８が上端位置から下端位置へと移動するとき、第１受動部１５を押し下げた後、第１受動部１５の後面１５ａと面当り状態となり開閉扉２を閉じるよう構成される。
【００３２】
本実施形態による可変入賞装置の防犯機構において、全閉状態にある開閉扉２に不正道具５０を用いて外部から開方向への力が作用したとき、駆動部１８は第１受動部１５の後面１５ａと面当り状態となって第１受動部１５の後方への回動を阻止しているため、開閉扉２は前方へ回動することができず開かない。このため、不正行為を防止することができる。
【００３３】
また、開閉扉２の近傍に、前面から細長状の操作棒２９が挿通可能な挿通孔３０が穿設されているとともに、回動アーム３は前面側に傾斜面２０を有しており、操作棒２９の先端を挿通孔３０に通して傾斜面２０に押し当てることによって回動アーム３が上方へ移動し、駆動部１８と第１受動部１５との面当り状態が解除され、開閉扉２が開放可能になるよう構成される。このため、大入賞口７内での球詰まりやノーカウントエラーが発生したときの対応として通常行われるホールの店員の行為、即ち、遊技盤の前面のガラス板を開け、開閉扉２を強制的に開けて球詰まりを解消したり、エラー状態から復帰させるために遊技球を大入賞口７に入れて、その後の遊技を続行可能にする行為が可能になる。
【００３４】
また、駆動部１８と第１受動部１５との面当り状態が解除されたとき、開閉扉２が開放可能な開放予備状態を保持するよう構成される。このため、単に操作棒２９を用いて駆動部１８と第１受動部１５との面当り状態を解除しただけでは開閉扉２が開かず、開閉扉２を開けるためには第２の開放操作（前面から指などで開閉扉２を開ける操作）が必要となることから、二重の防犯機能を発揮することができる。
【００３５】
さらに、駆動源５とスライドプレート（往復動体）６との連結箇所（プランジャー２４）付近は、後面４ａとリブ３４とブラケット２３とによって外部から操作できないよう覆われているため、遊技盤の前面のみならず後面からの不正行為も防止できる。
【００３６】
【発明の効果】
本発明によると、外部から可変入賞装置の開閉扉を開けようとしても開閉扉が開かず不正行為を防止することができる。
【図面の簡単な説明】
【図１】本発明の一実施形態に係る可変入賞装置の要部の分解斜視図である。
【図２】図３及び図４とともに同装置の通常の一連の動作を説明するための主要部の斜視図であり、開閉扉の全閉時に対応する斜視図である。
【図３】開閉扉の開放開始時に対応する斜視図である。
【図４】開閉扉の全開時に対応する斜視図である。
【図５】図６及び図７とともに同装置の通常の一連の動作を説明するための主要部の側面図であり、図２に対応する側面図である。
【図６】図３に対応する側面図である。
【図７】図４に対応する側面図である。
【図８】図９及び図１０とともに同装置のロック状態を強制的に解除する際の一連の動作を説明するための主要部の側面図であり、解除前に対応する側面図である。
【図９】解除途中に対応する側面図である。
【図１０】図９に対応する他の部位の側面図である。
【図１１】従来の可変入賞装置の問題点を示す説明図である。
【符号の説明】
２    開閉扉
２b    裏面
３    回動アーム
５    駆動源
６    スライドプレート（往復動体）
７    入賞口
８ 入賞口形成枠部
１５    第１受動部
１５a    後面
１６    第２受動部
１８    駆動部
２０    傾斜面
２９    操作棒
３０    挿通孔
【図１】
0003806799.tif 000002
【図２】
0003806799.tif 000003
【図３】
0003806799.tif 000004
【図４】
0003806799.tif 000005
【図５】
0003806799.tif 000006
【図６】
0003806799.tif 000007
【図７】
0003806799.tif 000008
【図８】
0003806799.tif 000009
【図９】
0003806799.tif 000010
【図１０】
0003806799.tif 000011
【図１１】
0003806799.tif 000012